(57)【要約】【課題】    環境微生物と酸化剤による植物発生材の迅速無臭堆肥化方法【解決手段】  従来、造園由来の廃棄物、刈草、枝、樹木、竹類などの植物発生材は焼却されていたが、廃掃法でそれが禁じられた。  そこで、植物発生材は堆肥化されることが多くなった。しかし、従来の植物発生材を破砕した後、自然堆積による堆肥化では、時間がかかり、悪臭を伴う。  そこで、植物発生材を破砕したした後、純粋培養した環境微生物を添加し、堆積して、途中の「切り返し」（堆積物の上下を反対にして、堆肥化を均一する操作）時に希釈した過酸化水素水を添加する。結果、有用土壌微生物を豊富に含んだ良質の堆肥が迅速且つ、悪臭を伴わずに作成できる。【特許請求の範囲】
【請求項１】
環境微生物と酸化剤による
【請求項２】
植物発生材等、有機廃棄物の
【請求項３】
迅速、無臭
【請求項４】
堆肥化方法
【発明の詳細な説明】
【技術分野】
【０００１】  本発明は植物発生材を迅速且つ、悪臭を伴わずに堆肥化するための技術に関する。
【背景技術】
【０００２】              環境微生物と酸化剤による植物発生材の迅速無臭堆肥化方法
原理
細かく破砕した植物発生材に  Ｂａｃｉｌｌｕｓ  ｃｅｒｅｕｓ（自然環境中に多数存在、人畜無害）の菌液を添加すると、同菌の増殖によりオキシダーゼ（酸化還元酵素）とカタラーゼの２種類の酵素が生成される。（化１）
カタラーゼと過酸化水素水が反応すると酸素と水になる。（化２）
オキシダーゼと空気中の酸素により、アンモニア等の悪臭発生物質が化学変化を起こし、水、二酸化炭素等の無臭物になるが、堆積状態で酸素が届かない部分、酸欠部分があると、化３の反応が起こらず、月一回の切り返し時にその酸欠部分を掘り返すと、悪臭が外に漏れる。
そこで予め酸欠部位に過酸化水素水を添加すれば図２の反応で当該酸欠部位が好酸素状態になり、化３の反応が進み、悪臭が漏れることなく堆肥の切り返し、移動が可能となる。
また、植物発生材の主成分であるセルロースもオキシダーゼによって分解が促進され、菌の栄養源となる。
また、堆肥化の過程で内部が６０℃の高温状態になるため、同時に高温耐性のＢａｃｉｌｌｕｓ  ｓｔａｒｏｔｈｅｒｍｏｐｈｉｌｕｓを添加する。
この結果、土壌微生物を豊富に含む良質の堆肥が迅速に、且つ、悪臭を伴わずに生成できる。
2006248886.tif 000002
当該菌は太古の昔より地球の掃除屋、リサイクル業者としての役割を担い、動植物の遺体、排泄物を土に還していた。もしこの菌がいなければ、地球は動植物の遺体、排泄物でゴミ溜めになっていたといわれている。
安全性については、当該菌は死んだ細胞は貪欲に分解するが、生きている細胞には無害
例  この菌は環境中に多数存在するので、もしこの菌に病原性があったら、人類を始め全ての動植物は死滅していたといわれている。また、自分はこの菌の研究を約十年間行っているが、健康上支障なし。
2006248886.tif 000003
当該菌は５０℃〜８０℃でのみ発育するので、堆肥内部の高温度に耐え、発育し、堆肥内部での発酵の主役となる。
安全性については、当該菌は５０℃〜８０℃でのみ発育するので、人間の体温３６〜３７℃では発育不可能、故に病原性はない。
培養液について、これらの菌の培養液は人間用コンソメスープを主体にしているため、有害物の含有はない。
酸化剤、過酸化水素水について
当該物質は分解すると酸素と水になる。また３％液は医薬品のオキシドールとなる。
規格は食品添加物用であるので有害物の含有はない。
2006248886.tif 000004
【非特許文献１】「発酵肥料のつくり方・使い方」、社団法人  農村漁村文化協会、１９９７年、ｐ．３６
【非特許文献２】「改訂  微生物制御用語事典」、（株）文教出版、１９９５年、ｐ．４０，５３，１７５，２４４，２４５
【発明の開示】
【発明が解決しようとする課題】  従来、造園由来の廃棄物、刈草、枝、樹木、竹類などの植物発生材は焼却されていたが、廃掃法でそれが禁じられた。
そこで、植物発生材は堆肥化されることが多くなった。
しかし、従来の植物発生材を破砕した後、自然堆積による堆肥化では、時間がかかり、悪臭を伴う。
【課題を解決するための手段】そこで、植物発生材を破砕したした後、純粋培養した環境微生物を添加し、堆積して、途中の「切り返し」（堆積物の上下を反対にして、堆肥化を均一する操作）時に希釈した過酸化水素水を添加する
【発明の効果】結果、有用土壌微生物を豊富に含んだ良質の堆肥が迅速且つ、悪臭を伴わずに作成できる。
【発明を実施するための最良の形態】植物発生材を破砕し、堆積時に当該微生物の培養液を植物発生材１トンにつき１リットル添加する。その後、月１切り返す、その直前に１．２パーセント過酸化水素水を添加する
【実施例】会社で植物発生材を引き取り堆肥化している。そこで研究職の自分が当該方法を開発し、当該方法を使用している。
結果、実際に上記（
【発明の効果】
）の通りになっている。
【産業上の利用可能性】有機性廃棄物の処理、畜産業の糞尿の処理、無臭化
【手続補正書】
【提出日】平成18年5月24日(2006.5.24)
【手続補正１】
【補正対象書類名】明細書
【補正対象項目名】全文
【補正方法】変更
【補正の内容】
【発明の詳細な説明】
【技術分野】
【０００１】  本発明は植物発生材等、有機廃棄物を迅速且つ、悪臭を伴わずに堆肥化するための技術に関する。
【背景技術】
【０００２】環境微生物と酸化剤による植物発生材等、有機廃棄物の迅速無臭堆肥化方法【０００３】  原理    植物発生材は細かく（約５０ミリに）破砕し、他の有機廃棄物はそのままで、Ｂａｃｉｌｌｕｓ  ｃｅｒｅｕｓ（自然環境中に多数存在、人畜無害）の菌液を添加すると、同菌の増殖によりオキシダーゼ（酸化還元酵素）とカタラーゼの２種類の酵素が生成される。（化１）【０００４】カタラーゼと過酸化水素水が反応すると酸素と水になる。（化２）【０００５】オキシダーゼと空気中の酸素により、アンモニア等の悪臭発生物質が化学変化を起こし、水、二酸化炭素等の無臭物になる（化３）が、堆積状態で酸素が届かない部分、酸欠部分があると、化３の反応が起こらず、切り返し（堆積物の上下を反対にして、堆肥化を均一する操作）時にその酸欠部分を掘り返すと、悪臭が外に漏れる。【０００６】そこで予め全体に過酸化水素水を散布することで添加すれば、化２の反応で酸欠部位が好酸素状態になり、化３の反応が進み、悪臭が漏れることなく堆肥の切り返し、移動が可能となる。【０００７】また、植物発生材の主成分であるセルロースもオキシダーゼによって分解が促進され、菌の栄養源となる。【０００８】また、堆肥化の過程で内部が６０℃の高温状態になるため、同時に高温耐性環境微生物のＢａｃｉｌｌｕｓ  ｓｔａｒｏｔｈｅｒｍｏｐｈｉｌｕｓを添加する。【０００９】この結果、土壌微生物を豊富に含む良質の堆肥が迅速に、且つ、悪臭を伴わずに生成できる。【００１０】
2006248886.tif 000005
当該菌は太古の昔より地球の掃除屋、リサイクル業者としての役割を担い、動植物の遺体、排泄物を土に還していた。もしこの菌がいなければ、地球は動植物の遺体、排泄物でゴミタメになっていたといわれている。この菌は生きた細胞には無害と言われている。自分はこの菌を１０年間以上取り扱っているが健康上、支障がない。故に病原性はない。【００１１】
2006248886.tif 000006
当該菌は５０℃〜８０℃でのみ発育するので、堆肥内部の高温度に耐え、発育し、堆肥内部での発酵の主役となる。
安全性については、当該菌は５０℃〜８０℃でのみ発育するので、人間の体温３６〜３７℃では発育不可能、故に病原性はない。【００１２】培養液について、これらの菌の培養液は人間用コンソメスープを主体にしているため、有害物の含有はない。【００１３】酸化剤、過酸化水素水について
当該物質は分解すると酸素と水になる。また３％液は医薬品のオキシドールとなる。
規格は食品添加物用を使用しているので有害物の含有はない。
2006248886.tif 000007
【非特許文献１】「発酵肥料のつくり方・使い方」、社団法人  農村漁村文化協会、１９９７年、ｐ．３６
【非特許文献２】「改訂  微生物制御用語事典」、（株）文教出版、１９９５年、ｐ．４０，５３，１７５，２４４，２４５
【発明の開示】
【発明が解決しようとする課題】
【００１４】従来、造園由来の廃棄物、刈草、枝、樹木、竹類などの植物発生材は焼却されていたが、廃掃法、焼却場の制限、京都議定書でそれが困難になった。【００１５】そこで、植物発生材は堆肥化されることが多くなった。【００１６】しかし、従来の植物発生材を破砕した後、自然堆積による堆肥化では、約２年間の時間がかかり、途中工程で悪臭を伴う。
【課題を解決するための手段】そこで、植物発生材を破砕した後（他の有機廃棄物はそのまま）、純粋培養した環境微生物を添加し、堆積して、途中の「切り返し」（堆積物の上下を反対にして、堆肥化を均一する操作）時に希釈した過酸化水素水を添加する
【発明の効果】結果、有用土壌微生物を豊富に含んだ良質の堆肥が約半年で、悪臭を伴わずに作成できる。
【発明を実施するための最良の形態】
【００１７】植物発生材を破砕し（他の有機廃棄物はそのまま）、堆積時に当該微生物の培養液を植物発生材等１トンにつき１リットル添加する。その後月１回切り返す、その直前に１．２パーセント過酸化水素水を添加する【００１８】微生物培養方法は市販の普通ブイヨン培地１０グラムと市販の粉末タイプのコンソメスープの素１人分（約４グラム）に水１リットルを加え沸騰するまで加温溶解、菌株液（当方で所有）を１／１０００ｍｌ量添加し、バチルスセレウスについては常温、バチルスステアロサーモフィルスについては、約６０℃で各１日以上培養する。【００１９】培養確認はいずれもグラム染色し、１０００倍鏡検で１視野１０個以上の生菌確認、培養終了とする。【００２０】過酸化水素水の希釈方法については、市販の食品添加物用３６パーセント過酸化水素水を水で３０倍希釈１．２パーセント液とする。【００２１】水は菌培養、過酸化水素水希釈、いずれも精製水、水道水、飲用可能の井戸水いずれも使用可。
【実施例】会社で植物発生材を引き取り堆肥化している。そこで研究職の自分が当該方法を開発し、当該方法を使用している。結果、実際に上記（［発明の効果］）の通りになっている。
また、自宅においては、生ごみや牛糞を家庭用コンポストにて、当該方法を使用して堆肥化しているが、上記（［発明の効果］）の通り無臭で堆肥ができている。
【産業上の利用可能性】有機性廃棄物の処理、畜産業の糞尿の処理、無臭化、堆肥化